(57)【要約】      （修正有）【課題】キートップ上方から底部のモニターを直接透かし見ることができ、かつキーの製造コストを抑え、各キーの単一キーモジュール化を実現した、透かしキーの支持構造体を提供する。【解決手段】透かしキーの支持構造体は主に、結合部１４を備えたディスプレイ部材１と、連結部２１を備えた少なくとも１つの中空底板２と、連動部を備えた複数の支持部材３と、透光部４１及び少なくとも１つの当接部４２を含む少なくとも１つのキートップ本体４と、弾性部材５を含み、前記支持部材と弾性部材がキートップ本体の外側当接部上に設置され、使用者がキートップ本体の透光部から中空底板を介して下層のディスプレイ部材を透かし見て、ディスプレイ部材の図柄部を完全に確認することができ、キーの押圧時は連動部を利用して支持部材をてこの原理で作動させ、弾性部材によりディスプレイ部材を駆動し、かつ結合部と連結部を通じて単一キーモジュール化できる。【選択図】図２
0003213983.tif 000002
【実用新案登録請求の範囲】
【請求項１】
透かしキーの支持構造体であって、
少なくとも１つの図柄部の表示に用いられるディスプレイ部材と、
前記ディスプレイ部材の少なくとも一側に形成された複数の結合部と、
前記ディスプレイ部材上側に設置され、中空部分が前記図柄部を完全に露出する少なくとも１つの中空底板と、
前記中空底板の一側に形成され、前記複数の結合部に対応して結合される複数の連結部と、
前記中空底板の外側に枢設された複数の支持部材と、
前記支持部材の一端に形成され、前記複数の支持部材を相互に連動し、同期して回動させる少なくとも１つの連動部と、
前記中空底板の中空部分の真上に位置し、前記ディスプレイ部材を透かしてみせる透光部と、前記透光部の外縁に形成された少なくとも１つの当接部を含み、前記支持部材の前記中空底板とは反対側の他端に枢設された少なくとも１つのキートップ本体と、
前記中空底板上に設置され、かつ前記当接部に選択的に当接され、前記ディスプレイ部材の駆動に用いられる少なくとも１つの弾性部材と、
を含むことを特徴とする、透かしキーの支持構造体。
【請求項２】
前記各支持部材が、前記当接部の一側に枢設された連結棒部と、前記連結棒部の一端に折り曲げて形成された第１支持部と、前記連結棒部の他端に折り曲げて形成された第２支持部を含み、前記連動部が、前記第１支持部上に形成された挟持部と、前記第２支持部上に形成され、かつ前記挟持部に対応して結合される挟入部を含み、前記各支持部材が前記挟持部及び前記挟入部の結合を通じて相互に連動され、前記第１支持部と前記第２支持部の一側に第１軸部がそれぞれ設けられ、かつ前記中空底板上に前記第１軸部の設置に用いる複数の位置規制溝が設けられ、前記各位置規制溝上に、前記第１軸部に対して位置規制を行う弾性挟持部が設けられることを特徴とする、請求項１に記載の透かしキーの支持構造体。
【請求項３】
前記キートップ本体の側縁に、前記連結棒部の設置に用いる少なくとも１つの第１位置規制部が形成されたことを特徴とする、請求項２に記載の透かしキーの支持構造体。
【請求項４】
前記ディスプレイ部材が、ディスプレイモニターと、前記ディスプレイモニター上に設置され、かつ前記結合部を備えたキー配置底板と、前記キー配置底板の前記ディスプレイモニターとは反対側に設けられ、かつ前記ディスプレイモニターと電気的に接続された薄膜回路を含み、前記弾性部材の当接により前記ディスプレイモニターが駆動されることを特徴とする、請求項１に記載の透かしキーの支持構造体。
【請求項５】
前記キートップ本体の下側に、前記連結棒部の設置に用いる少なくとも１つの第２位置規制部が形成されたことを特徴とする、請求項２に記載の透かしキーの支持構造体。
【請求項６】
さらに前記ディスプレイ部材上に設置された少なくとも１つのカバー部材を含み、かつ前記カバー部材上に、前記透光部を可動的に凸設させるために用いる少なくとも１つの開口部が設けられたことを特徴とする、請求項１に記載の透かしキーの支持構造体。
【考案の詳細な説明】
【技術分野】
【０００１】
本考案は支持体と弾性部材をキートップの側縁部に設置し、キートップ上方から底部のモニターまで透かし見ることができ、かつ各キーがそれぞれ嵌合固定され、単一のキーのモジュール化という特性を備えた、透かしキーの支持構造体に関する。
【背景技術】
【０００２】
キーに発光機能を持たせるために、現在はキートップの下方に発光素子を設置して、キーのキートップ表面に透明材質を採用し、この材質の下方の光線をキートップ表面から透過させ、キーボードの発光効果を達成している。しかしながら、キーボードの接触点は、ゴムパッド（Ｒｕｂｂｅｒ）及びシザースイッチを含め、いずれもキーの真下に設置されており、光源の散光効果が比較的悪く、特に、キーにディスプレイ機能を具備させる場合、単純に発光素子をディスプレイモニターに替えただけでは、表示される図案がキートップ真下のゴムパッド（Ｒｕｂｂｅｒ）及びシザースイッチ等の構造によって遮蔽されてしまい、図案を完全に表示することができない。
【０００３】
カスタマイズのトレンドが高まるにつれ、キーボードのスタイル、キーの数量、キーの配置も多様化しているが、キーボードの製造は、薄膜回路（ｍｅｍｂｒａｎｅ）、接触点に対応するケースの開孔、キーの構造をすべて逐一対応させて成型する必要があり、かつキーの組み立ても、前述の外観処理のほか、キーボードに結合するときキートップ上の支持体連結構造を利用して座体と相互に連結する必要があり、連結過程で支持体が多方向の外力を受け、構造の損壊や変形が起こりやすいため、カスタマイズ設計に非常に不利である。
【考案の概要】
【考案が解決しようとする課題】
【０００４】
本考案の第１の目的は、支持部材と弾性部材をキートップ本体側縁部に設置してキー中央区域を遮蔽しないようにすることで、キートップ上方から底部のモニターを直接透かし見ることができ、かつキートップ本体の一側に中空底板を設け、その上に設けられた連結部を通じてディスプレイ部材上の対応する位置の結合部に結合でき、キーの製造コストを抑え、各キーの単一キーモジュール化を実現した、透かしキーの支持構造体を提供することにある。
【０００５】
本考案の第２の目的は、支持部材にてこの原理を利用してキートップ本体をディスプレイ部材上で垂直に動作させ、支持・結合の基本構造の構成を簡素化した、透かしキーの支持構造体を提供することにある。
【課題を解決するための手段】
【０００６】
以下この考案について説明する。請求項１に記載する透かしキーの支持構造体は、
少なくとも１つの図柄部の表示に用いられるディスプレイ部材と、
前記ディスプレイ部材の少なくとも一側に形成された複数の結合部と、
前記ディスプレイ部材上側に設置され、中空部分が前記図柄部を完全に露出する少なくとも１つの中空底板と、
前記中空底板の一側に形成され、前記複数の結合部に対応して結合される複数の連結部と、
前記中空底板の外側に枢設された複数の支持部材と、
前記支持部材の一端に形成され、前記複数の支持部材を相互に連動し、同期して回動させる少なくとも１つの連動部と、
前記中空底板の中空部分の真上に位置し、前記ディスプレイ部材を透かしてみせる透光部と、前記透光部の外縁に形成された少なくとも１つの当接部を含み、前記支持部材の前記中空底板とは反対側の他端に枢設された少なくとも１つのキートップ本体と、
前記中空底板上に設置され、かつ前記当接部に選択的に当接され、前記ディスプレイ部材の駆動に用いられる少なくとも１つの弾性部材と、
を含む。
【０００７】
請求項２に記載する身体支持制御装置は、請求項１に記載する透かしキーの支持構造体において、前記各支持部材が、前記当接部の一側に枢設された連結棒部と、前記連結棒部の一端に折り曲げて形成された第１支持部と、前記連結棒部の他端に折り曲げて形成された第２支持部を含み、前記連動部が、前記第１支持部上に形成された挟持部と、前記第２支持部上に形成され、かつ前記挟持部に対応して結合される挟入部を含み、前記各支持部材が前記挟持部及び前記挟入部の結合を通じて相互に連動され、前記第１支持部と前記第２支持部の一側に第１軸部がそれぞれ設けられ、かつ前記中空底板上に前記第１軸部の設置に用いる複数の位置規制溝が設けられ、前記各位置規制溝上に、前記第１軸部に対して位置規制を行う弾性挟持部が設けられることを特徴とする。
【０００８】
請求項３に記載する身体支持制御装置は、請求項２に記載する透かしキーの支持構造体において、前記キートップ本体の側縁に、前記連結棒部の設置に用いる少なくとも１つの第１位置規制部が形成されたことを特徴とする。
【０００９】
請求項４に記載する身体支持制御装置は、請求項１に記載する透かしキーの支持構造体において、前記ディスプレイ部材が、ディスプレイモニターと、前記ディスプレイモニター上に設置され、かつ前記結合部を備えたキー配置底板と、前記キー配置底板の前記ディスプレイモニターとは反対側に設けられ、かつ前記ディスプレイモニターと電気的に接続された薄膜回路を含み、前記弾性部材の当接により前記ディスプレイモニターが駆動されることを特徴とする。
【００１０】
請求項５に記載する身体支持制御装置は、請求項２に記載する透かしキーの支持構造体において、前記キートップ本体の下側に、前記連結棒部の設置に用いる少なくとも１つの第２位置規制部が形成されたことを特徴とする。
【００１１】
請求項６に記載する身体支持制御装置は、請求項１に記載する透かしキーの支持構造体において、さらに前記ディスプレイ部材上に設置された少なくとも１つのカバー部材を含み、かつ前記カバー部材上に、前記透光部を可動的に凸設させるために用いる少なくとも１つの開口部が設けられたことを特徴とする。
【考案の効果】
【００１２】
本考案のディスプレイ部材は真上に中空底板の中空部分とキートップ本体の透光部のみが存在するため、使用者は底層のディスプレイ部材を直接見ることができ、必要な支持部材と弾性部材はディスプレイ部材の可視範囲を避けてそれぞれ中空底板の外側とキートップ本体の外縁の当接部に設置されており、かつ支持部材の動作は、連動部間の相互連動に合わせ、支持部材がてこの原理を利用してキートップ本体に垂直往復運動をさせ、弾性部材を当接させてディスプレイ部材の表示をトリガーし、内容を表示させる。このほか、中空底板上の連結部をディスプレイ部材側部の結合部に対応して嵌合させることができ、各キーの組み立て動作が簡素化され、また単一キーモジュール化の特性を利用し、製造コストと保守コストを抑えることができる。
【図面の簡単な説明】
【００１３】
【図１】本考案の正面図である。
【図２】本考案の分解図である。
【図３】本考案の俯瞰図１である。
【図４】本考案の俯瞰図２である。
【図５】本考案の支持部材の俯瞰図である。
【図６】本考案の組み立てを示す概略図である。
【図７】本考案の動作を示す概略図である。
【図８】本考案の実施を示す概略図である。
【図９】本考案の使用状態を示す概略図である。
【図１０】本考案の別の構造の正面図である。
【図１１】本考案の別の組み立てを示す概略図１である。
【図１２】本考案の別の組み立てを示す概略図２である。
【考案を実施するための形態】
【００１４】
図１〜５に示すように、本考案の透かしキーの支持構造体は、次を含む。
【００１５】
少なくとも１つの図柄部の表示に用いるディスプレイ部材１であって、前記ディスプレイ部材１は、ディスプレイモニター１１と、前記ディスプレイモニター１１上に設置されたキー配置底板１２と、前記キー配置底板１２の前記ディスプレイモニター１１とは反対側に設置され、かつ前記ディスプレイモニター１１と電気的に接続された薄膜回路１３を含み、下述する弾性部材５の当接により前記ディスプレイモニター１１が駆動される。
【００１６】
前記ディスプレイ部材１の少なくとも一側に複数の結合部１４が形成される。
【００１７】
ディスプレイ部材１の上側に少なくとも１つの中空底板２が設置され、中空部分が前記図柄部を完全に露出する。
【００１８】
中空底板２の一側に、前記結合部１４に対応して結合される複数の連結部２１が形成される。
【００１９】
前記中空底板２の外側に複数の支持部材３が枢設され、各支持部材３が、下述する当接部４２の一側に枢設された連結棒部３１と、前記連結棒部３１の一端に折り曲げて形成された第１支持部３２と、前記連結棒部３１の他端に折り曲げて形成された第２支持部３３を含む。
【００２０】
前記第１支持部３２及び前記第２支持部３３の一側に複数の第１軸部３４がそれぞれ形成される。
【００２１】
前記中空底板２上に、第１軸部３４の設置に用いる複数の位置規制溝２２が設けられ、かつ各位置規制溝２２上に、前記第１軸部３４に対して位置規制を行う弾性挟持部２２１が設けられる。
【００２２】
前記支持部材３一端に少なくとも１つの連動部３５が形成され、前記支持部材３を相互に連動し、同期して回動させるために用いられ、連動部３５が、前記第１支持部３２上に形成された挟持部３５１と、前記第２支持部３３上に形成され、かつ前記挟持部３５１に対応して結合される挟入部３５２を含み、各支持部材３が前記挟持部３５１及び前記挟入部３５２の結合を通じて相互に連動される。
【００２３】
前記支持部材３の前記中空底板２とは反対側の他端に少なくとも１つのキートップ本体４が枢設され、かつ前記キートップ本体４が前記中空底板２の中空部分真上に位置し、前記ディスプレイ部材１を透かして見せる透光部４１と、前記透光部４１の外縁に形成された少なくとも１つの当接部４２を含む。 
【００２４】
前記キートップ本体４の側縁に少なくとも１つの第１位置規制部４３が形成され、前記連結棒部３１の設置に用いられる。
【００２５】
前記当接部４２に選択的に当接される少なくとも１つの弾性部材５が前記中空底板２上に設置され、前記薄膜回路１３に当接されて前記ディスプレイモニター１１を駆動するために用いられる。
【００２６】
前記ディスプレイ部材１上に少なくとも１つのカバー部材６が設置され、かつ前記カバー部材６上に前記透光部４１を可動的に凸設させるための少なくとも１つの開口部６１が設けられる。
【００２７】
図１〜９に示すように、外観に関しては、キートップ本体４の透光部４１がカバー部材６の開口部６１に可動的に凸設されるほか、全体の外観は一般のキーボードと変わらない。キートップ本体４は中央の透光部４１及び側縁の当接部４２により構成され、かつキートップ本体４に垂直の往復動作をさせる支持部材３と弾性部材５が、透光部４１の真下を完全に避けて設置され、使用者が透光部４１から最下層のディスプレイ部材１を直接透かし見て、ディスプレイ部材１の図柄部１１１を完全に見ることができる。そのうち、弾性部材５は中空底板２上に設置され、支持部材３の両端がキートップ本体４側縁の第１位置規制部４３上と中空底板２の位置規制溝２２中にそれぞれ設置される。これにより、キーが透光部４１を介してディスプレイモニター１１の内容を表示でき、ディスプレイモニター１１はキー構造の最下層に設置されるため、長期の押圧による往復動作または使用者の不適切な操作によってディスプレイモニター１１に損傷が生じることを回避できる。このほか、キーのカスタマイズコストを抑え、単一キーモジュール化の目的を達成するために、ディスプレイ部材１のキー配置底板１２上に複数の結合部１４が設けられ、かつ中空底板２上に前記結合部１４に対応して結合される複数の連結部２１が形成される。本実施例の連結部２１は下方向に徐々に窄まる円錐台状であり、結合部１４は開口状である。結合時は少し施力するだけで連結部２１を結合部１４内に嵌入させることができる。このため、キー配置底板１２を使用者の所望する態様にカスタマイズした後、中空底板２に逐一各キーを結合することができる。
【００２８】
キートップ本体４の支持構造を簡素化するために、従来のシザースイッチを支持部材３に変更している。前記２つの支持部材３は、連結棒部３１と、第１支持部３２と、第２支持部３３で構成された冂字形の同じ構造態様であり、そのうち、連結棒部３１はキートップ本体４側縁の第１位置規制部４３中に枢設され、第１支持部３２及び第２支持部３３が第１軸部３４を介して位置規制溝２２中に枢設され、２つの支持部材３がキートップ本体４と中空底板２の間でＶ字形の態様を呈する。かつ第１軸部３４は組み立て時、弾性挟持部２２１の存在により、少し下に圧力を加えるだけで位置規制溝２２中に円滑に嵌入される。２つの支持部材３によりキートップ本体４を垂直往復運動させるために、支持部材３の第１支持部３２を他方の支持部材３の第２支持部３３に当接させ、かつ第１支持部３２の挟持部３５１を第２支持部３３上の挟入部３５２に対応させて結合することで、２つの支持部材３に連動関係を生じさせる。
【００２９】
キートップ本体４が押されると、下圧する力が連結棒部３１に伝達され、そのうち１つの支持部材３が第１軸部３４を軸心として下に回動され、同時に、第１軸部３４の他方の一側の挟持部３５１がてこの原理によって上に回動されて、他方の支持部材３の挟入部３５２を連動して上に回動させる。同様に、前記挟入部３５２が他方の支持部材３の第１軸部３４を軸心として上に回動され、前記挟入部３５２の他端の連結棒部３１をてこの原理で下に回動させる。これにより、使用者の押圧動作がキートップ本体４を安定的に下降させ、弾性部材５に当接させるように確約し、薄膜回路１３を通じてディスプレイモニター１１に対応する内容を表示させ、使用者は透光部４１から下層のディスプレイ部材１を透かし見ることができる。かつ、２つの支持部材３は造型が完全に同じであるため、生産コストと組み立て難度を抑えることができる。
【００３０】
図１０〜図１２に示すように、本実施例はキートップ本体４ａ側縁の第１位置規制部を下側の第２位置規制部４４ａに変更し、支持部材３ａの連結棒部３１ａが直接キートップ本体４ａの外側寄りの部分に嵌接されるようにした別の構造態様である。かつ、同様に上述の単一キーモジュール化の効果を備えており、同一のディスプレイモニター１１ａを使用する状況下で、異なるキー配置底板１２ａ及び薄膜回路１３ａを組み合わせ、異なる外観態様のキーボード配置を形成できるとともに、同様に中空底板２ａの連結部２１ａとディスプレイ部材１ａの結合部１４ａを組み合わせ、モジュール化した組み立ての動作を迅速に完了でき、キー配置底板１２ａの利用でキーボードカスタマイズの目的を実現する。
【符号の説明】
【００３１】
１、１ａ      ディスプレイ部材
１１、１１ａ  ディスプレイモニター
１１１        図柄部
１２、１２ａ  キー配置底板
１３、１３ａ  薄膜回路
１４、１４ａ  結合部
２、２ａ      中空底板
２１、２１ａ  連結部
２２          位置規制溝
２２１        弾性挟持部
３、３ａ      支持部材
３１、３１ａ  連結棒部
３２          第１支持部
３３          第２支持部
３４          第１軸部
３５          連動部
３５１        挟持部
３５２        挟入部
４、４ａ      キートップ本体
４１          透光部
４２          当接部
４３          第１位置規制部
４４ａ        第２位置規制部
５            弾性部材
６            カバー部材
６１          開口部
【図１】
0003213983.tif 000003
【図２】
0003213983.tif 000004
【図３】
0003213983.tif 000005
【図４】
0003213983.tif 000006
【図５】
0003213983.tif 000007
【図６】
0003213983.tif 000008
【図７】
0003213983.tif 000009
【図８】
0003213983.tif 000010
【図９】
0003213983.tif 000011
【図１０】
0003213983.tif 000012
【図１１】
0003213983.tif 000013
【図１２】
0003213983.tif 000014